(57)【要約】【技術課題】温水式床暖房装置において、後付けで非居室空間の暖房を可能にすること。【解決手段】一台の熱源機３で発生した温水を温水往き導管４を経由して温水マット２内を一巡させたのち、この一巡した温水を温水還り導管５を経由して前記熱源機３に戻し、再加熱して再び前記温水マット２内に循環させる温水式床暖房装置において、前記温水還り導管５の一部に三方弁１２を取り付けると共にこの三方弁１２の下流側にＴ字管を取り付ける。熱負荷の小さい室内又は室外にあって緩やかな暖房を必要とされる場所に温水式の放熱器７を取り付けると共にこの放熱器７の温水入口と前記三方弁１２の分岐口１２ｂ間を迂回温水往き管１４で結び、前記放熱器７の温水出口と前記Ｔ字管１３の分岐口間を迂回温水還り管１６で結ぶ事により、前記温水式床暖房装置の温水還り導管５内を還る温水を利用して非居室空間の暖房を行う。【選択図】  図１
2015102297.tif 000002
【特許請求の範囲】
【請求項１】
一台の熱源機で発生した温水を温水往き導管を経由して居室内に施工された温水マット内を一巡させたのち、この一巡した温水を温水還り導管を経由して前記熱源機に還し、再加熱して再び前記温水往き導管を経由して前記温水マット内に循環させる温水式床暖房装置において、前記温水還り導管の一部に三方弁を取り付けると共にこの三方弁の下流側にＴ字管を取り付け、熱負荷の小さい室内又は室外にあって緩やかな暖房を必要とされる非居室内に温水式の放熱器を取り付けると共にこの放熱器の温水入口と前記三方弁の分岐口間を迂回温水往き管で結び、前記放熱器の温水出口と前記Ｔ字管の分岐口間を迂回温水還り管で結ぶ事により、前記温水式床暖房装置の温水還り導管内を還る還り温水により非居室空間内の暖房を行うことができるように構成してなる温水式床暖房装置。
【請求項２】
前記非居室内の放熱器は、浴室の脱衣室又は浴室内又は浴室の洗い場又はトイレ室又は建物の廊下又は玄関又はペット用小屋又は植物育成用温室に設置されていること、を特徴とする請求項１に記載の温水式床暖房装置。
【請求項３】
前記非居室内の放熱器は、既設の温水式床暖房装置に後付けで取り付けられていること、を特徴とする請求項１に記載の温水式床暖房装置。
【請求項４】
前記三方弁とＴ字管とは一体化されていること、を特徴とする請求項１に記載の温水式床暖房装置。
【請求項５】
前記三方弁とＴ字管に対する温水還り導管との接合及び迂回温水住き管と迂回温水還り管との接合口には、ワンタッチ式の接続金具又はホースエンドが形成されていること、を特徴とする請求項１乃至４のいずれか１項に記載の温水式床暖房装置。
【請求項６】
前記脱衣室及び浴室内に前記放熱器を設置した場合には、前記三方弁を手動又は自動式となし、自動式の場合には風呂用熱源機のリモコンスイッチに連動して前記三方弁を自動的に開放して前記脱衣室の放熱器内に温水が循環するように構成してなること、を特徴とする請求項１乃至５のいずれか１項に記載の温水式床暖房装置。
【請求項７】
前記自動式の三方弁の場合には、脱衣室の出入口の扉の開閉に連動して又は脱衣室内に設置された人体検出センサーが人体を検出したときに開放して前記放熱器内に温水を循環させるように構成してなること、を特徴とする請求項１乃至５のいずれか１項に記載の温水式床暖房装置。
【発明の詳細な説明】
【技術分野】
【０００１】
本発明は、温水式床暖房装置であって、詳しくは、居室の暖房に付加してヒートショックに代表される事故率の高い脱衣室、浴室、トイレ室等の非居室空間の暖房を可能にした温水式床暖房装置に関する。
【背景技術】
【０００２】
非居室である脱衣室とか浴室あるいはトイレ内の暖房としては、電気式のヒーター等が良く知られている。また、温水式の熱交換器を脱衣室又は浴室、トイレ室等の非居室内に設置してこの非居室内の暖房を可能とした例として、特許文献１（特開２００９−１６２４６９号公報）が公知である。
【先行技術文献】
【特許文献】
【０００３】
【特許文献１】特開２００９−１６２４６９号公報
【０００４】
しかし、上記特許文献１の場合、居室側と同時に非居室側の暖房工事を行う場合には問題はないが、後付けでこの非居室の暖房を行おうとすると、配管工事が大掛りになると共に工事費が高くつき、また、建物によってはこのような後付け工事自体を行うことができないケースもある。
【０００５】
また、前記脱衣室内や浴室内あるいはトイレ室以外であって、例えば廊下等の場合にも、冬期は可成り温度が低下するため、高齢者や病気がち以外の人であっても暖かい居室から寒い廊下に出たときに急激に体が冷えて脳梗塞等の病気を誘発することがある。
【発明の概要】
【発明が解決しようとする課題】
【０００６】
本発明の目的は、温水式床暖房装置において、脱衣室や浴室あるいはトイレ室等の非居室内の暖房を安い費用で後付けにより簡単な工事で行うことができる温水式床暖房装置を提供することである。
【課題を解決するための手段】
【０００７】
上記目的を達成するため本発明に係る温水式床暖房装置は、次の構成からなる。
【０００８】
請求項１に記載の発明は、温水式床暖房装置において、一台の熱源機で発生した温水を温水往き導管を経由して居室内に施工された温水マット内を一巡させたのち、この一巡した温水を温水還り導管を経由して前記熱源機に還し、再加熱して再び前記温水往き導管を経由して前記温水マット内に循環させる温水式床暖房装置において、前記温水還り導管の一部に三方弁を取り付けると共にこの三方弁の下流側にＴ字管を取り付け、熱負荷の小さい室内又は室外にあって緩やかな暖房を必要とされる非居室内に温水式の放熱器を取り付けると共にこの放熱器の温水入口と前記三方弁の分岐口間を迂回温水往き管で結び、前記放熱器の温水出口と前記Ｔ字管の分岐口間を迂回温水還り管で結ぶ事により、前記温水式床暖房装置の温水還り導管内を還る還り温水により非居室空間内の暖房を行うことができるように構成してなること、を特徴とするものである。
【０００９】
次に、請求項２に記載の発明は、請求項１に記載の温水式床暖房装置において、前記非居室内の放熱器は、浴室の脱衣室又は浴室内又は浴室の洗い場又はトイレ室又は建物の廊下又は玄関又はペット用小屋又は植物育成用温室に設置されていること、を特徴とするものである。
この発明によると、暖房を必要とする非居室は勿論のこと、ペットとか植物等の暖房のために本発明を適用できる。
【００１０】
次に、請求項３に記載の発明は、請求項１に記載の温水式床暖房装置において、前記非居室内の放熱器は、既設の温水式床暖房装置に後付けで取り付けられていること、を特徴とするものである。
【００１１】
この発明によると、非居室空間の暖房が後年必要となったときに安い費用で対応することができる。
【００１２】
次に、請求項４に記載の発明は、請求項１に記載の温水式床暖房装置において、前記三方弁とＴ字管とは一体化されていること、を特徴とするものである。
この発明によると、温水還り導管の接続は三方弁とＴ字管でそれぞれ１ケ所で済み、工事が簡素化される。
【００１３】
次に、請求項５に記載の発明は、請求項１乃至４のいずれか１項に記載の温水式床暖房装置において、前記三方弁とＴ字管に対する温水還り導管との接合及び迂回温水住き管と迂回温水還り管との接合口には、ワンタッチ式の接続金具又はホースエンドが形成されていること、を特徴とするものである。
この発明によると、短時間で簡単に配管工事を行うことができる。
【００１４】
次に、請求項６に記載の発明は、請求項１乃至５のいずれか１項に記載の温水式床暖房装置において、前記脱衣室及び浴室内に前記放熱器を設置した場合には、前記三方弁を手動又は自動式となし、自動式の場合には風呂用熱源機のリモコンスイッチに連動して前記三方弁を自動的に開放して前記脱衣室の放熱器内に温水が循環するように構成してなること、を特徴とするものである。
この発明において、いちいち手動操作を行う必要がなく、便利である。
【００１５】
次に、請求項７に記載の発明は、請求項１乃至５のいずれか１項に記載の温水式床暖房装置において、前記自動式の三方弁の場合には、脱衣室の出入口の扉の開閉に連動して又は脱衣室内に設置された人体検出センサーが人体を検出したときに開放して前記放熱器内に温水を循環させるように構成してなること、を特徴とするものである。
この発明によると、非居室内の暖房のＯＮ、ＯＦＦに手間がかからず便利であり、特に高齢者には有効である。
【発明の効果】
【００１６】
本発明は以上のとおり、温水式床暖房装置において、熱源機と居室に施工された温水マット間を結ぶ往路と復路からなる温水導管において、その還り導管の一部に三方弁とＴ字管からなる分岐金具を取り付けると共に脱衣室等の非居室内に設置した放熱機の温水入口と前記三方弁の分岐口とを迂回温水往き管で結び、前記放熱機の温水出口と前記Ｔ字管の分岐口間を迂回温水還り管で結ぶことにより、居室を一巡し、暖房を終えた約５０℃前後の還り温水熱を用いて非居室内を暖房することができるため、居室側の暖房に影響しない範囲で非居室内の暖房を行うことができる。
【００１７】
また、分岐金具は、温水還り導管の一部を切断し、ここに取り付けるだけのため、迂回温水往き管と還り管の分岐工事が簡単となり、また後付けを行う場合には、放熱器に最も近い位置の還り導管を切断し、ここに分岐金具を取り付ければ良く、工事が簡単になり、工事費も安くなる。
【００１８】
また、分岐金具である三方弁及びＴ字管の各接続口と温水還り導管及び迂回温水往き管と還り管の接続は、ワンタッチ式の接続金具を用いることにより、配管工事を簡単に行うことができる。
【図面の簡単な説明】
【００１９】
【図１】本発明を脱衣室とトイレ室の暖房に実施した説明図。
【図２】脱衣室の図。
【図３】トイレ室の図
【図４】分岐金具を上方から見た状態の説明図。
【図５】分岐金具を正面方向から見た状態の説明図。
【図６】図５におけるＡ−Ａ’線断面図。
【発明を実施するための形態】
【実施例１】
【００２０】
図１〜図６に基づいて本発明を浴室に付属の脱衣室及びトイレ室の暖房に実施した例を説明する。
【００２１】
図１は、住宅の一角を示し、符号の１は居室であって、この居室１の床には、温水式の床暖房用温水マット２が施工されていて、この床暖房用温水マット２には、戸外に位置された熱源機３で発生した約６０℃の温水が温水往き導管４を経由して、ヘッダー６から温水マット２内の温水パイプ２ａに供給され、この温水パイプ２ａを一巡してヘッダー６に還り、このヘッダー６から温水還り導管５を経由して前記熱源機３に還る構成であって、通常温水還り導管５内の還り流水の温度は５０℃前後である。
【００２２】
７は居室１とは廊下８を間にして反対側に施工された浴室９と隣り合わせの脱衣室であって、この脱衣室７内の床には、前記居室１側の温水マット２を小型にした非居室用温水マット１０が施工されている。
【００２３】
１１は、温水還り導管５において、脱衣室７に近い位置に取り付けられた分岐金具であって、この分岐金具１１は、図４〜図６に示すように、還り導管５において、上流側にハンドル１２ａで手動開閉自在の三方弁１２と、この三方弁１２の下流側において三方弁１２と一体になるようにねじ接合されたＴ字管１３からなる。
【００２４】
１４は、前記三方弁１２の分岐口１２ｂと前記非居室温水マット１０の温水入口１５を結ぶ迂回温水往き管、１６は非居室温水マット１０の温水出口１７と前記Ｔ字管１３の分岐口１３ａを結ぶ迂回温水還り管であって、前記三方弁１２及びＴ字管１３と温水還り導管５及び迂回温水往き管と還り管１６のそれぞれの接続口にはワンタッチ式の接続金具１８、１８ａが取り付けられていて、ワンタッチでそれぞれの接続と離脱ができる構成である。
【００２５】
但し、この接続方式は上記の接続金具１８、１８ａに限定されるものではなく、例えば、三方弁１２及びＴ字管１３に形成したタケノコと称されるホースエンドに導管５及び迂回温水往き管１４、１６を差し込む方式であってもよい。
【００２６】
図１において、１９はトイレ室であって、このトイレ室１９側には温水式のラジェーター２０が施工されていて、上記脱衣室７と同じようにトイレ室１９内の暖房を温水還り導管５内の還り温水により行うように施工したものである。
【００２７】
２１は台所であって、この台所２１にもラジェーター２０が施工されている。
【００２８】
なお、本実施例において、脱衣室７には非居室温水マット１０が施工され、トイレ室１９にはラジェーター２０が施工されているが、この施工は非居住室の形態や用途により選択され、本発明において暖房（放熱）手段は限定されない。
【００２９】
また、分岐金具１１の三方弁１２は本実施例においてはハンドル１２ａを操作する手動式となっているが、電動式つまり電磁弁方式となし、例えば脱衣室７あるいはトイレ１９内又は入口等に設けたスイッチ操作で開閉する遠隔操作方式としたり、脱衣室７の場合には、浴室９内の自動風呂湯沸かし器のコントローラー（図示せず）の入力ボタン操作あるいは設定温度にお湯が沸き上がった時の停止作用に連動して三方弁１２が開くようにすると、脱衣あるいは入浴時にはすでに室内が温かくなっている、という構成にしても良い。
【００３０】
本実施例は非居室内を暖房する例であるが、その他ペット室とか温室あるいは冬期の積雪とか凍結を防ぐために放熱器を玄関先等に設置あるいは施工しても良い。
【符号の説明】
【００３１】
１  居室
２  温水マット
３  熱源機
４  温水往き導管
５  温水還り導管
７  脱衣室
１０  放熱器
１２  三方弁
１３  Ｔ字管
１４  迂回温水往き管
１６  迂回温水還り管
【図１】
2015102297.tif 000003
【図２】
2015102297.tif 000004
【図３】
2015102297.tif 000005
【図４】
2015102297.tif 000006
【図５】
2015102297.tif 000007
【図６】
2015102297.tif 000008